(57)【要約】　　　（修正有）【課題】関連するマテリアルを劣化させるリスクを生じることなく、メタデータを関連するマテリアルと同じ記録媒体に記録する。【解決手段】データ再生順を有するデータマテリアルの記録媒体において、記録媒体にデータ再生順に記録されているデータマテリアルは、当該記録媒体の異なる部分に記録されているダミーデータマテリアルに関連付けられ、ダミーデータマテリアルには、データマテリアルを識別するメタデータがウォータマークとしてエンコードされる。【選択図】　図１
2004005925.tif 000002
【特許請求の範囲】
【請求項１】
データ再生順序を有するデータマテリアルの記録媒体において、
当該記録媒体にデータ再生順に記録されているデータマテリアルは、当該記録媒体の異なる部分に記録されているダミーデータマテリアルに関連付けられ、該ダミーデータマテリアルには、該データマテリアルを識別するメタデータがウォータマークとしてエンコードされている記録媒体。
【請求項２】
上記データマテリアル及びダミーデータマテリアルは、データ再生順に、実質的に連続する部分に記録されていることを特徴とする請求項１記載の記録媒体。
【請求項３】
上記メタデータは、少なくともマテリアル識別コードを含むことを特徴とする請求項１又は２記載の記録媒体。
【請求項４】
上記データマテリアルは、データグループとして記録され、各データグループは、マテリアル識別コードに関連付けられ、対応するマテリアル識別コードを含むメタデータを有することを特徴とする請求項３記載の記録媒体。
【請求項５】
当該記録媒体は、線形アクセス媒体であることを特徴とする請求項１乃至４いずれか１項記載の記録媒体。
【請求項６】
当該記録媒体は、テープ状記録媒体であることを特徴とする請求項５記載の記録媒体。
【請求項７】
上記データマテリアルは、少なくともビデオマテリアルを含むことを特徴とする請求項１乃至６いずれか１項記載の記録媒体。
【請求項８】
上記各データグループは、ビデオ画像を表すデータを含むことを特徴とする請求項４に従属する請求項７記載の記録媒体。
【請求項９】
上記ダミーデータマテリアルは、ダミービデオマテリアルを含むことを特徴とする請求項７又は８記載の記録媒体。
【請求項１０】
上記ダミービデオマテリアルは、上記データマテリアルに関連する英数字を表す１つ以上の画像を含むことを特徴とする請求項９記載の記録媒体。
【請求項１１】
上記ダミービデオマテリアルは、上記メタデータのアイテムを挿入することができるアウトライン表示を含むことを特徴とする請求項１０記載の記録媒体。
【請求項１２】
上記ダミービデオマテリアルは、１つ以上のビデオテストパターンを含むことを特徴とする請求項９記載の記録媒体。
【請求項１３】
データ再生順序を有するデータマテリアルの記録装置において、
記録されるデータマテリアルに関連付けられたダミーデータマテリアルに、該データマテリアルを識別するメタデータをウォータマークとしてエンコードするエンコード手段と、
上記データマテリアル及びダミービデオマテリアルをデータ再生順に、記録媒体の異なる部分に記録する記録手段とを備える記録装置。
【請求項１４】
添付の図面を参照して以下に説明する記録媒体に実質的に等しい記録媒体。
【請求項１５】
添付の図面を参照して以下に説明する記録装置に実質的に等しい記録装置。
【請求項１６】
データ再生順序を有するデータマテリアルの記録方法において、
記録されるデータマテリアルに関連付けられたダミーデータマテリアルに、該データマテリアルを識別するメタデータをウォータマークとしてエンコードするステップと、
上記データマテリアル及びダミービデオマテリアルをデータ再生順に、記録媒体の異なる部分に記録するステップとを有する記録装置。
【請求項１７】
添付の図面を参照して以下に説明する記録方法に実質的に等しい記録方法。
【請求項１８】
請求項１６又は１７記載の記録方法を実現するプログラムコードを含むコンピュータソフトウェア。
【請求項１９】
請求項１８記載のコンピュータソフトウェアを提供する媒体。
【請求項２０】
当該媒体は、記録媒体であることを特徴とする請求項１９記載の媒体。
【請求項２１】
当該媒体は、伝送媒体であることを特徴とする請求項１９記載の媒体。
【発明の詳細な説明】
【０００１】
【発明の属する技術分野】
本発明は、マテリアルの記録に関する。マテリアルは、ビデオマテリアル、オーディオマテリアル、データマテリアルのいずれであってもよい。
【０００２】
以下、ビデオマテリアルを用いて本発明を説明するが、本発明は、ビデオマテリアル以外のマテリアルにも適用することができる。例えば、本発明はオーディオマテリアルにも適用してもよい。また、本発明は、オーディオマテリアル以外のデータマテリアルに適用してもよい。更に、本発明は、オーディオマテリアル、ビデオマテリアル、データマテリアルのうちの１つ以上を成分として含むマテリアルに適用してもよい。
【０００３】
【従来の技術】
ビデオ信号に「ウォータマーク」を埋め込むことによりビデオ信号を識別する技術が知られている。ウォータマークは、エンコードされた信号（ｃｏｄｅｄ　ｓｉｇｎａｌ：以下、エンコード信号という。）であり、このエンコード信号が表示画像において不可視又は実質的に不可視となるように、ビデオ信号に埋め込まれる。エンコード信号は、ビデオ信号から検出することができ、このエンコード信号を検出することにより、例えば著作権の侵害を発見することができる。ここで、ウォータマークは、例えば編集したり、特殊効果を適用したり、マテリアルを更に処理することによって、故意又は過失で破損又は除去されることがある。更に、ビデオ信号にウォータマークを適用することにより、僅かではあるが、ビデオ信号に知覚可能な劣化が生じることもある。
【０００４】
【発明が解決しようとする課題】
近年、マテリアルを取り扱い、マテリアルに識別子を付し、マテリアルを利用するための有効な手法として、マテリアルにいわゆるメタデータを関連付ける技術が広く用いられている。例えば、英国特許出願公開第２３６１１３６号明細書では、メタデータは、例えばＳＭＰＴＥ固有マテリアル識別子（Ｕｎｉｑｕｅ　Ｍａｔｅｒｉａｌ　Ｉｄｅｎｔｉｆｉｅｒ：以下、ＵＭＩＤという。）等のマテリアル識別子によってマテリアルにリンクされたエントリとしてデータベースに格納されている。ＵＭＩＤ自体は、ウォータマークとしてマテリアルに埋め込まれている。
【０００５】
【課題を解決するための手段】
本発明に係る記録媒体は、データ再生順序を有するデータマテリアルの記録媒体において、記録媒体にデータ再生順に記録されているデータマテリアルは、記録媒体の異なる部分に記録されているダミーデータマテリアルに関連付けられ、ダミーデータマテリアルには、データマテリアルを識別するメタデータがウォータマークとしてエンコードされている。
【０００６】
これにより、関連するマテリアルを劣化させるリスクを生じることなく、メタデータを関連するマテリアルと同じ記録媒体に記録することができる。本発明は、特に、テープ状記録媒体に適用することができるが、他の種類の線形記録媒体又はデータを再生順に記録する他の媒体（例えば、ビデオディスク）にも適用することができる。ダミーデータの一部（例えば、ビデオマテリアルを記録する場合、テストパターン、ブラックアンドバースト信号（ｂｌａｃｋ　ａｎｄ　ｂｕｒｓｔ）、テキストマテリアル等）が記録媒体に記録され、メタデータは、ウォータマークとして、ダミーデータマテリアルに埋め込まれる。
【０００７】
データマテリアルとダミーデータマテリアルは、好ましくは、再生順に、実質的に連続する部分に記録される。例えば、テープ状記録媒体の場合、これは、テープ上の実質的に隣接する異なる部分を意味する。
【０００８】
メタデータは、好ましくは、少なくともマテリアル識別コードを含む。マテリアル識別コードは、特に、メタデータ及び／又はデータマテリアルを外部データソース又はリファレンスにリンクさせるのに有用である。更に、好ましくは、データマテリアルは、データグループ（例えば、ビデオマテリアルの場合、フレーム又はフィールド等の画像）として記録され、各データグループがそのデータグループと対応するマテリアル識別コードを有するメタデータとを関連付けるマテリアル識別コードを有し、このマテリアル識別コードにより、データマテリアルをダミーデータマテリアル内のウォータマークが付されたメタデータにリンクさせることができる。
【０００９】
ダミーデータは、所定量の有用なデータを実際に含んでいてもよい。例えば、ダミーデータは、タイトルデータ（ｔｉｔｌｉｎｇ　ｄａｔａ）、ショットリスト（ｓｈｏｔ　ｌｉｓｔｓ）等であってもよい。ダミーデータとしては、タイトル又はショットリストを表す英数字データを用いてもよく、英数字データの視覚的表現を用いてもよい。また、ウォータマークを用いて、ダミーデータに更なるデータを埋め込んでもよく、ここで、更なるデータは、同じ英数字データであってもよく、関連する英数字データであってもよく、他のデータであってもよい。例えば、ダミーデータは、ショットリスト等のリストのアウトラインの視覚的表現であってもよく、このアウトラインは、ウォータマークとして埋め込まれたデータであってもよい。
【００１０】
この方法を用いれば、大量のペイロードデータをダミーデータに埋め込むこともできる。この方法により、ウォータマークが付加されたピクチャにウォータマークが影響を与えてはならないという一般的には非常に厳しい要件を満たすことができる。通常、より多くのデータペイロードを含むウォータマークは、より少ないペイロードデータを含むウォータマークより視認されやすい。そこで、本発明の具体例では、大量のデータペイロード（例えば、ショットリスト）を伝えるために、その効果が視認されやすいという意味で「劣った（ｐｏｏｒ）」ウォータマークを用いている。このようなウォータマークをダミーデータに埋め込むことにより、記録されている他のマテリアルが劣化することを回避できる。
【００１１】
本発明の他の様々な特徴は、添付の請求の範囲において定義されている。
【００１２】
【発明の実施の形態】
概観
図１に示すように、ダミーデータ生成器８８０は、ウォータマークを付すべきデータマテリアルを生成する。ダミーデータは、タイトルデータ（ｔｉｔｌｉｎｇ　ｄａｔａ）、メニューデータ、カラーバー等のテスト信号データ、又は単にブラックのビデオ画像等の無意味なマテリアル（ｎｕｌｌ　ｍａｔｅｒｉａｌ）を表すデータであってもよい。例えば、タイトルデータを使用する場合、タイトル生成器７９０は、データベース７９２（現在のビデオマテリアルに関する書誌的事項（ｂｉｂｌｉｏｇｒａｐｈｉｃ　ｄｅｔａｉｌｓ）を格納している）から適切な情報を読み出し、英数字タイトル情報（ａｌｐｈａｎｕｍｅｒｉｃ　ｔｉｔｌｉｎｇ　ｉｎｆｏｒｍａｔｉｏｎ）の視覚的表現（ｖｉｓｕａｌ　ｒｅｐｒｅｓｅｎｔａｔｉｏｎ）を生成し、このタイトル情報をダミーデータ生成器８８０に供給する（勿論、このような場合、ダミーデータ生成器８８０は、このタイトル情報をそのままダミーデータとして出力してもよい）。
【００１３】
ウォータマーク生成器８８２は、ダミーデータマテリアルにウォータマークを挿入又は適用する。このウォータマークについては、後のウォータマークの章で詳しく述べる。本発明の好ましい具体例においては、ウォータマークは、固有マテリアル識別子（Ｕｎｉｑｕｅ　Ｍａｔｅｒｉａｌ　Ｉｄｅｎｔｉｆｉｅｒ：以下、ＵＭＩＤという。）に基づいて生成される。ＵＭＩＤは、ＵＭＩＤ生成器８８６が必要に応じてデータベース７９２からデータを読み出して生成される。ＵＭＩＤについては、後のＵＭＩＤの章で詳しく述べる。本発明の好ましい具体例においては、ＵＭＩＤに基づくウォータマークによりマテリアルが識別される。更に、ウォータマークにより、マテリアルの所有者を識別してもよい。ＵＭＩＤは、１フレーム単位の精度でマテリアルを識別することができる。このため、本発明の好ましい具体例においては、ウォータマークは、各フレームを固有に識別するように、各フレーム毎に埋め込まれる。他の具体例においては、ＵＭＩＤのインスタンス番号フィールド（ｉｎｓｔａｎｃｅ　ｎｕｍｂｅｒ　ｆｉｅｌｄ）を、マテリアルの使用が許可された異なるユーザを区別するための「フィンガプリント（ｆｉｎｇｅｒｐｒｉｎｔｓ）」として用いる。
【００１４】
ウォータマークが付されたダミーデータマテリアルは、データフォーマット器（ｄａｔａ　ｆｏｒｍａｔｔｅｒ）８８８に供給され、データフォーマット器８８８は、ダミーデータマテリアルのフォーマットを記録媒体８２０への記録に適したフォーマットに変換する。記録媒体８２０は、テープ状記録媒体、光ディスク、磁気ディスク、マテリアルを記憶するために構成されたランダムアクセスメモリ等、データを再生順（ｒｅｐｌａｙ　ｏｒｄｅｒ）に記録する媒体である。実際には、いかなる種類の物理的媒体を用いても、マテリアルを再生順に記録することができる。複雑な又はマルチパスの再生順序（ｍｕｌｔｉ−ｐａｔｈ　ｒｅｐｌａｙ　ｏｒｄｅｒ）を有するＤＶＤ等の媒体であっても、マテリアルを再生順に記録できる媒体とみなすことができる。
【００１５】
データフォーマット器８８８には、ビデオソース８２２からビデオマテリアルも供給されている。ビデオソース８２２は、カメラ、ビデオテープレコーダ、ビデオサーバ及び他のあらゆる適切なソースのうちのいずれであってもよい。ＵＭＩＤ生成器８８６によって生成されたＵＭＩＤは、ダミーデータのコンテンツではなく、ビデオソース８２２からのビデオマテリアルのコンテンツを表している。換言すれば、メニュー、タイトル、テスト信号データを提供する等、ダミーデータが有することのできる機能とは別に、ダミーデータは、この観点において、単にウォータマークによって表されるＵＭＩＤ又は他のデータを表現するためのデータとしても機能する。
【００１６】
データフォーマット器８８８は、ウォータマークが付されたダミーデータマテリアルと、ビデオソース８２２からのビデオマテリアルとを（再生順に関して）インターリーブする。このインターリーブ処理は、後に図２ａ〜図２ｃを用いて説明するように、異なる様々な手法で実行することができる。インターリーブされたビデオデータとウォータマークが付されたダミーデータは、適切な再生順で記録媒体８２０に記録される。
【００１７】
データベース７９２は、マテリアルに関連し、ＵＭＩＤによってマテリアルにリンクされたメタデータを格納していてもよい。データベース７９２に格納することができるメタデータの具体例については、後のメタデータの章で詳しく述べる。
【００１８】
ダミーデータは、所定量の有用なデータを実際に含んでいてもよい。ダミーデータは、例えば、タイトルデータ（ｔｉｔｌｉｎｇ　ｄａｔａ）やショットリスト（ｓｈｏｔ　ｌｉｓｔｓ）等であってもよい。ダミーデータとしては、タイトル又はショットリストを表す英数字データを用いてもよく、英数字データの視覚的表現を用いてもよい。また、ウォータマークを用いて、ダミーデータに更なるデータを埋め込んでもよく、ここで、更なるデータは、同じ英数字データであってもよく、関連する英数字データであってもよく、他のデータであってもよい。例えば、ダミーデータは、ショットリスト等のリストのアウトラインの視覚的表現であってもよく、このアウトラインは、ウォータマークとして埋め込まれたデータであってもよい。このため、図１では、タイトル生成器７９０からウォータマーク生成器８８２にデータが直接供給されることを意味する破線が示されており、これにより、タイトルデータ（又は他のデータ）をウォータマークの一部として埋め込むことができる。
【００１９】
この手法を用いれば、大量のペイロードデータをダミーデータに埋め込むこともできる。この手法により、ウォータマークが付加されたピクチャにウォータマークが影響を与えてはならないという一般的には非常に厳しい要件を緩和することができる。通常、より多くのデータペイロードを含むウォータマークは、より少ないペイロードデータを含むウォータマークよりも視認されやすい。そこで、本発明の具体例では、大量のデータペイロード（例えば、ショットリスト）を伝えるために、その効果が視認されやすいという意味で「劣った（ｐｏｏｒ）」ウォータマークを用いている。このようなウォータマークをダミーデータに埋め込むことにより、記録されている他のマテリアルが劣化することを回避できる。記録媒体における、ウォータマークが付されたダミーデータの構成の具体例を図２ａ〜図２ｃに示す。なお、これらの図は、例えばテープ状記録媒体等の特定の種類の記録媒体を表しているものではない。すなわち、これらの図は、単に、紙面左から右に線形のデータ再生順序を表しているにすぎない。勿論、これに代えて、上述のように、より複雑な非線形の再生順序（例えば、ＤＶＤを用いて実現できる）を用いてもよい。以下の説明は、このような複雑な構成にも同様に適用できるものであるが、図２ａ〜図２ｃでは、図を明瞭にするために、単純な線形の再生順のみを示している。
【００２０】
図２ａ〜図２ｃにおいて、「ＷＭ」のラベルは、上述のようにしてウォータマークが付された記録マテリアルの部分を示している。テープ状記録媒体の端部では、テープ状記録媒体のテンションを適切に調整することが難しく、また、テープ状記録媒体に破損が生じやすいため、このようなテープ状記録媒体の端部においては、データが破損又は劣化しやすいという問題があるため、図２ａに示すように、テープ状記録媒体の最初の部分にはデータを記録しないという手法は、周知の手法である。このため、図２ａに示す具体例では、記録媒体の最初のアイテムとして、ウォータマークが付されたブラックダミー信号部分（ｂｌａｃｋ　ｄｕｍｍｙ　ｓｉｇｎａｌ　ｐｏｒｔｉｏｎ）１００が記録されている。
【００２１】
図２ｂに示す具体例では、テスト信号１１０（例えば、カラーバー等）がビデオマテリアルが記録されている部分に再生順にインターリーブされている。
【００２２】
図２ｃは、更なる２つの（独立した）可能な構成を示しており、すなわち、この具体例では、記録されたマテリアルの再生順における最初の位置にウォータマークが付されたタイトルデータ又はメニューデータ１２０を記録し、記録されたマテリアルの再生順における最後の位置にウォータマークが付された識別部分１３０（例えば、ブラック信号）を記録している。このように、識別部分１３０を再生順の最後に記録することにより、識別部分１３０は、ビデオマテリアルの通常の再生及び使用時には邪魔にならず、且つ、マテリアルを識別する必要が生じた場合に利用することができる。
【００２３】
ウォータマーク処理（図３及び図４）
デジタル形式で記録され、保存され、及び配信される情報、特にビデオ情報の量は、年々増加する傾向にある。デジタルデータは、コピーが容易であり、データに含まれる作品の著作権が不正なコピーによって侵害されやすいという問題がある。したがって、著作権者は、コピーに対する適切な保護がなければ、又は作品の著作権の所在を明示し、不正なコピーを禁止することを主張することができなければ、自らの作品をデジタル形式で使用可能にしたり、配布することは望まない。
【００２４】
このような問題を解決する手法との１つとして、デジタルウォータマークがある。デジタルウォータマークにより、デジタル作品にコードを埋め込むことができ、このコードには、例えば所有者、配信者、及び／又は認証コード等の情報を含ませることができる。デジタルウォータマークは、例えば暗号化等の他の保護対策とともに用いることができる。
【００２５】
デジタルウォータマーク（以下、単にウォータマークという）は、例えば、所有者や配信者を明瞭に識別し、及び／又はフィンガプリント（ｆｉｎｇｅｒｐｒｉｎｔｉｎｇ）と呼ばれる技術により、認証コードを提供する固有のデータである必要がある。更に、ウォータマーク自体が画像、音声、映像等のデジタル作品であってもよい。ウォータマークには、作品が自由にコピーできるか、全くコピーできないか、限られた回数のみコピーできるかといった情報を含ませることもできる。
【００２６】
ウォータマークは、認証されていない個人によっては検出できず、改竄できず、除去できないものであることが望ましい。更に、ウォータマークは、目に見える影響を与えることにより作品を劣化させるようなものであってはならない。その一方で、ウォータマークは、所有者及び／又は配信者を識別するために、認証された個人が容易に理解できるものである必要がある。
【００２７】
ウォータマークは、基底にあるデジタル作品に容易に埋め込むことができるものである必要がある。また、埋込技術は、データを記録している間にウォータマークを容易に埋め込み、ソースにおいて作品にウォータマークを付し、これによりウォータマークが付されていない作品が使用される可能性を最小限にするものであることが望ましい。
【００２８】
ウォータマークは、不正なコピーを作成しようとする第三者によっては除去又はその性能を劣化させられないように、強固（ロバスト：ｒｏｂｕｓｔ）であることが望ましい。認証されていない第三者が強固なウォータマークを除去しようとすれば、データが著しく劣化し、データを表示できなくなる。例えばビデオデータのように、データが冗長な情報を多く含むような場合、強固なウォータマークも、例えばフレームの抜取り（ｆｒａｍｅ　ｄｒｏｐｐｉｎｇ）等の攻撃を受けやすくなる。したがって、強固なウォータマークは、好ましくは、このような攻撃からデータを保護し、例えば、フレーム毎に変化し、及びデータに適用されているエラー訂正／再生技術を利用するものであってもよい。
【００２９】
これに代えて、ウォータマークは、不正なコピーが作成された場合、容易に破損されるような脆弱な（ｆｒａｇｉｌｅ）ものであってもよい。
【００３０】
この一方で、ウォータマークは、正当な権限を有するものが必要に応じて元に戻せる又は除去できるものであることが望ましい。ウォータマークの除去は、例えば、ポストプロダクション段階において、基底にある作品にウォータマークが与える累積的な効果を低減する必要がある場合等に行われる。更に、異なるソースからの情報を同時に編集するような場合、編集された作品に異なるウォータマークを付すことが望まれる場合もある。
【００３１】
エンドユーザの機器は、保護されている作品がコピーできないように、ウォータマークを認識するように構成することができる。これに代えて、エンドユーザの機器は、特定の所有者から、特定の配信者を介して配信された作品又は特定の認証コードを含んでいる作品のみを再生できるように構成してもよい。
【００３２】
ウォータマークは、例えばウォータマークが付されていないデータと比較することにより抽出することができ、これにより信頼性が確立される。
【００３３】
以下、ウォータマークをデジタル作品のデータフィールドに埋め込む２つの手法について詳細に説明する。第１の手法は、ウォータマークを空間領域に埋め込む手法であり、第２の手法は、ウォータマークを周波数領域に埋め込む手法である。
【００３４】
空間領域ウォータマーク
この処理は、概略的に言えば、所定のデータビットをウォータマークのビットに置き換えることによりウォータマークが付されたデータを生成する処理を要件とする。ウォータマークの存在は、ウォータマークが付されたデータに逆の操作を加えることによって検出することができる。
【００３５】
一手法として、疑似ランダム的に選択されたビットの重要ではないビットを、ウォータマークを表すビットで置換することにより、ウォータマークをデータに埋め込む手法がある。しかしながら、このようなウォータマークは、データの最下位ビットを処理することにより破壊されやすい。また、ウォータマークを表す幾何学的パターンをデータに挿入する手法もある。しかしながら、このようなウォータマークは、データを幾何学的に処理することにより破壊されやすい。更に、量子化雑音に似た情報をウォータマークとして埋め込む手法もある。この手法については、図３を用いて後述するが、この詳細については、ケー・タナカ（Ｋ　Ｔａｎａｋａ）他著、「ディザ処理されたマルチレベル画像への秘密情報の埋込み（Ｅｍｂｅｄｄｉｎｇ　Ｓｅｃｒｅｔ　Ｉｎｆｏｒｍａｔｉｏｎ　ｉｎｔｏ　ａ　Ｄｉｔｈｅｒｅｄ　Ｍｕｌｔｉ−Ｌｅｖｅｌ　Ｉｍａｇｅ）」、ＩＥＥＥ軍事通信学会（ＩＥＥＥ　Ｍｉｌｉｔａｒｙ　Ｃｏｍｍｕｎｉｃａｔｉｏｎｓ　Ｃｏｎｆｅｒｅｎｃｅ）、１９９０年、ｐ．２１６−２２０、及びケー・ミツイ（Ｋ　Ｍｉｔｓｕｉ）著、「ビデオステグノグラフィ（Ｖｉｄｅｏ　Ｓｔｅｇａｎｏｇｒａｐｈｙ）」、ＩＭＡ知的所有権会報（ＩＭＡ　Ｉｎｔｅｌｌｅｃｔｕａｌ　Ｐｒｏｐｅｒｔｙ　Ｐｒｏｃｅｅｄｉｎｇｓ）、１９９４年、第１巻、ｐ．１８７−２９６にも開示されている。しかしながら、このようなウォータマークは、特にデータの再量子化等の信号処理によって破壊されやすい。
【００３６】
図３に示す具体例では、ソース６５０は、例えばデジタルビデオ信号等のデジタルデータ信号６５２を生成する。ソース６５０には、ウォータマーク挿入器（ｗａｔｅｒｍａｒｋ　ｉｎｓｅｒｔｅｒ）７００が接続されており、ウォータマーク挿入器７００には、デジタルデータ信号６５２が供給される。ウォータマーク挿入器７００は、再量子化雑音に類似するウォータマークをデジタルデータ信号６５２に付加することにより、ウォータマークが付されたデータ７０５を生成する。ウォータマーク挿入器７００には、データ記録装置６７０が接続されており、データ記録装置６７０は、ウォータマークが付されたデータ７０５を記録する。
【００３７】
更なる手法として、ｎ対の画像点（ａｉ，ｂｉ）をランダムに選択し、ａｉの明度（ｂｒｉｇｈｔｎｅｓｓ）を１増加させ、ｂｉの明度を１減少させてもよい。画像の所定の統計的特性（ｓｔａｔｉｓｔｉｃａｌ　ｐｒｏｐｅｒｔｙ）が満たされたとすると、ｎ対の画像点の差は、２ｎとなる。
【００３８】
これに代えて、データ信号が少なくとも２つの成分（例えば、ＭＰＥＧ、ＰＡＬ又はＮＴＳＣにおける［Ｙ，ＵＶ］）を含む場合、これらの成分の値を通常では生じない組合せにすることにより、ウォータマークを埋め込んでもよい。更に、２つの画像フィールドを含むビデオデータにウォータマークを埋め込む場合、正のウォータマーク（ｐｏｓｉｔｉｖｅ　ｗａｔｅｒｍａｒｋ）を第１の画像フィールドに埋め込み、負のウォータマーク（ｎｅｇａｔｉｖｅ　ｗａｔｅｒｍａｒｋ）を第２の画像フィールドに埋め込んでもよい。ウォータマークが付された画像フィールドが再生されると、フィールドのインタレースに起因するマスキング効果により、ウォータマークの視認性が著しく低下する。
【００３９】
周波数領域ウォータマーク
この処理は、概略的に言えば、ウォータマークを付すべきデータの周波数スペクトル画像（ｆｒｅｑｕｅｎｃｙ　ｓｐｅｃｔｒａｌ　ｉｍａｇｅ）を生成する処理を要件とする。ウォータマークは、周波数スペクトル画像の所定の成分に埋め込まれる。この処理の後、ウォータマークが付された周波数スペクトル画像を逆変換し、ウォータマークが付されたデータを生成する。ウォータマークは、ウォータマークが付されたデータに対して、上述とは逆の処理を施すことにより抽出することができる。
【００４０】
一手法においては、データを複数のブロックに分割し、これらの各ブロックに対して離散コサイン変換（Ｄｉｓｃｒｅｔｅ　Ｃｏｓｉｎｅ　Ｔｒａｎｓｆｏｒｍ：以下、ＤＣＴという。）を施す。その後、ブロックの所定の周波数係数を調整する。ブロックのサブセットを疑似ランダム的に選択し、これらの各ブロックにおいて、所定の周波数のサブセットの係数の相対値がデータビットをエンコードするように、これらのブロック係数を調整してもよい。この相対値の分散（ｖａｒｉａｎｃｅ）及び所定の周波数のサブセットは、ウォータマークが知覚されないように選択される。しかしながら、このようなウォータマークは、雑音又は更なる処理によって破損されやすい。
【００４１】
これに代えて、全ての周波数係数の値を小さく調整することにより、ウォータマークをエンコードする手法もある。この手法については、図４を用いて後述するが、この詳細については、欧州特許出願公開第０７６６４６８号明細書にも開示されている。この手法は、ウォータマークが破損されにくいという利点を有しているが、全体的な雑音レベルが上がってしまうという問題がある。
【００４２】
図４に示す具体例では、ソース６５０は、デジタルビデオ信号等のデジタルデータ信号６５２を生成する。ソース６５０には、周波数変換器６５５が接続されており、周波数変換器６５５には、デジタルデータ信号６５２が供給される。周波数変換器６５５は、例えば離散コサイン変換又は高速フーリエ変換により、デジタルデータ信号６５２を周波数スペクトルデータ６５７に変換する。周波数変換器６５５には、ウォータマーク挿入器６６０が接続されており、ウォータマーク挿入器６６０には、周波数スペクトルデータ６５７が供給される。ウォータマーク挿入器６６０は、周波数スペクトルデータ６５７の各係数を調整することによりウォータマーク６６３を埋め込み、ウォータマークが付された周波数スペクトルデータ６６４を生成する。ウォータマーク挿入器６６０には、逆周波数変換器６６５が接続されており、逆周波数変換器６６５には、ウォータマークが付された周波数スペクトルデータ６６４が供給される。逆周波数変換器６６５は、ウォータマークが付された周波数スペクトルデータ６６４をウォータマークが付されたデータ６６７に変換する。逆周波数変換器６６５には、データ記録装置６７０が接続されており、データ記録装置６７０は、ウォータマークが付されたデータ６６７を記録する。
【００４３】
更なる手法として、人間の視覚及び聴覚におけるいわゆるマスキング効果を利用して、特定の周波数の係数の変化を大きくする手法もある。マスキング効果とは、データ内のある領域が、データ内の他の知覚的により顕著な領域によって隠される効果をいう。しかしながら、この手法では、ウォータマークを付す前に、データ内における上述のような領域を特定する必要があり、したがって、埋込処理が複雑になる。
【００４４】
更なる手法として、デジタルデータを圧縮し、圧縮されたデータの動きベクトルのｘ座標及びｙ座標にウォータマークを埋め込む手法もある。これにより、圧縮後にウォータマークを埋め込むことができ、したがって、より強固な処理を行えるという利点がある。
【００４５】
ウォータマークに関する公知の論文
・「ステグノグラフィの限界について（Ｏｎ　ｔｈｅ　ｌｉｍｉｔｓ　ｏｆ　ｓｔｅｇａｎｏｇｒａｐｈｙ）」通信における選択された領域に関するＩＥＥＥジャーナル、著作権及びプライバシー保護に関する特別な問題（ＩＥＥＥ　Ｊｏｕｒｎａｌ　ｏｎ　Ｓｅｌｅｃｔｅｄ　Ａｒｅａｓ　ｉｎ　Ｃｏｍｍｕｎｉｃａｔｉｏｎｓ　（Ｊ−ＳＡＣ），　Ｓｐｅｃｉａｌ　Ｉｓｓｕｅ　ｏｎ　Ｃｏｐｙｒｉｇｈｔ　＆　Ｐｒｉｖａｃｙ　Ｐｒｏｔｅｃｔｉｏｎ）１９９８年５月、第１６巻、第４号、ｐ．４７４−４８１
・「著作権保護のための画像への強固なラベルの埋込（Ｅｍｂｅｄｄｉｎｇ　Ｒｏｂｕｓｔ　Ｌａｂｅｌｓ　ｉｎｔｏ　Ｉｍａｇｅｓ　ｆｏｒ　Ｃｏｐｙｒｉｇｈｔ　Ｐｒｏｔｅｃｔｉｏｎ）」、１９９５年、ＸＰ０００５７１９６７
・「著作権保護のための静止画像への強固なウォータマークの付与（Ｒｏｂｕｓｔ　Ｗａｔｅｒｍａｒｋｉｎｇ　ｏｆ　Ｓｔｉｌｌ　Ｉｍａｇｅｓ　ｆｏｒ　Ｃｏｐｙｒｉｇｈｔ　Ｐｒｏｔｅｃｔｉｏｎ）」、１９９７年、ＸＰ００２１１８１１９
・「画像、音声、映像に対する安全なスペクトル拡散ウォータマーキング法（Ｓｅｃｕｒｅ　Ｓｐｒｅａｄ　Ｓｐｅｃｔｒｕｍ　Ｗａｔｅｒｍａｒｋｉｎｇ　ｆｏｒ　Ｉｍａｇｅｓ，　Ａｕｄｉｏ　ａｎｄ　Ｖｉｄｅｏ）」、画像処理に関するＩＥＥＥ国際会議会報（ＩＥＥＥ　Ｉｎｔｅｒｎａｔｉｏｎａｌ　Ｃｏｎｆｅｒｅｎｃｅ　ｏｎ　ＩｍａｇｅＰｒｏｃｅｓｓｉｎｇ　（ＩＣＩＰ’９６））、１９９６年、第３巻、ｐ．２４３〜２４６
・「オブジェクトに基づくトランスペアレントなビデオウォータマーキング法（Ｏｂｊｅｃｔ−ｂａｓｅｄ　Ｔｒａｎｓｐａｒｅｎｔ　Ｖｉｄｅｏ　Ｗａｔｅｒｍａｒｋｉｎｇ）」、ＩＥＥＥ信号処理ソサイエティ１９９７電子工学会議マルチメディア信号処理研究会（Ｅｌｅｃｔｒｏｎｉｃ　Ｐｒｏｃｅｅｄｉｎｇｓ　ｏｆ　ｔｈｅ　ＩＥＥＥ　Ｓｉｇｎａｌ　Ｐｒｏｃｅｓｓｉｎｇ　Ｓｏｃｉｅｔｙ　１９９７，　Ｗｏｒｋｓｈｏｐ　ｏｎ　Ｍｕｌｔｉｍｅｄｉａ　Ｓｉｇｎａｌ　Ｐｒｏｃｅｓｓｉｎｇ）、１９９７年６月
・「ＭＰＥＧ符号化ビデオデータに対するウォータマーキング法：公正な所有権の保護を目指して（Ｗａｔｅｒｍａｒｋｉｎｇ　Ｍｅｔｈｏｄｓ　ｆｏｒ　ＭＰＥＧ　Ｅｎｃｏｄｅｄ　Ｖｉｄｅｏ：　Ｔｏｗａｒｄｓ　Ｒｅｓｏｌｖｉｎｇ　Ｒｉｇｈｔｆｕｌ　Ｏｗｎｅｒｓｈｉｐ）」技術レポート、米国イリノイ州アーバナ−シャンペイン、イリノイ大学、１９９７年１２月、第ＵＩＵＣＤＣＳ−Ｒ−９７−２０３２号
・「マルチメディアセキュリティ及び著作権保護（Ｍｕｌｔｉｍｅｄｉａ　Ｓｅｃｕｒｉｔｙ　ａｎｄ　Ｃｏｐｙｒｉｇｈｔ　Ｐｒｏｔｅｃｔｉｏｎ）」技術レポート、米国イリノイ州アーバナ−シャンペイン、イリノイ大学、第ＵＩＵＣＤＣＳ−Ｒ−９８−２０５８号、１９９８年９月（要約のみ）
特許出願
・欧州特許出願公開第０７６６４６８号明細書「マルチメディアデータにスペクトル拡散ウォータマークを挿入する方法及びシステム（Ｍｅｔｈｏｄ　ａｎｄ　Ｓｙｓｔｅｍ　ｆｏｒ　Ｉｎｓｅｒｔｉｎｇ　ａ　Ｓｐｒｅａｄ　Ｓｐｅｃｔｒｕｍ　Ｗａｔｅｒｍａｒｋ　ｉｎｔｏ　Ｍｕｌｔｉｍｅｄｉａ　Ｄａｔａ）」、日本電気株式会社、１９９６年
・国際公開第９６／４１４６８号パンフレット「ビデオフィンガプリントを用いた、様々な記録媒体に対するコピー保護方法及び装置（Ｍｅｔｈｏｄ　ａｎｄ　Ａｐｐａｒａｔｕｓ　ｆｏｒ　Ｃｏｐｙ　Ｐｒｏｔｅｃｔｉｏｎ　ｆｏｒ　Ｖａｒｉｏｕｓ　Ｒｅｃｏｒｄｉｎｇ　Ｍｅｄｉａ　Ｕｓｉｎｇ　ａ　Ｖｉｄｅｏ　Ｆｉｎｇｅｒｐｒｉｎｔ）」、マクロビジョン（Ｍａｃｒｏｖｉｓｉｏｎ）、１９９５年
・欧州特許出願公開第０５６２７８７号明細書「画像コーディング方法及び装置（Ｉｍａｇｅ　Ｃｏｄｉｎｇ　Ｍｅｔｈｏｄ　ａｎｄ　Ａｐｐａｒａｔｕｓ）」、キャノン株式会社（Ｃａｎｏｎ）、１９９３年
・米国特許第５９６００８１号明細書「ビデオシーケンスへのデジタル署名の埋込（Ｅｍｂｅｄｄｉｎｇ　ａ　Ｄｉｇｉｔａｌ　Ｓｉｇｎａｔｕｒｅ　ｉｎ　ａ　Ｖｉｄｅｏ　Ｓｅｑｕｅｎｃｅ）」、クレー・リサーチ社（Ｃｒａｙ　Ｒｅｓｅａｒｃｈ）、１９９９年
・国際公開第９９／６３４４３号パンフレット「デジタルデータに画像、音声、映像のウォータマークを埋め込む方法（Ｍｅｔｈｏｄｓ　ｆｏｒ　Ｅｍｂｅｄｄｉｎｇ　Ｉｍａｇｅ，　Ａｕｄｉｏ　ａｎｄ　Ｖｉｄｅｏ　Ｗａｔｅｒｍａｒｋｓ　ｉｎ　Ｄｉｇｉｔａｌ　Ｄａｔａ）」、データマーク・テクノロジ社（Ｄａｔａｍａｒｋ　Ｔｅｃｈｎｏｌｏｇｉｅｓ）、１９９８年
・国際公開第９９／２２４８０号パンフレット「デジタル画像データへのウォータマーキング方法（Ｗａｔｅｒｍａｒｋｉｎｇ　ｏｆ　Ｄｉｇｉｔａｌ　Ｉｍａｇｅ　Ｄａｔａ）」、コロンビア大学（Ｃｏｌｕｍｂｉａ　Ｕｎｉｖｅｒｓｉｔｙ）、１９９８年
・国際公開第９９／４８２９０号パンフレット「デジタルマテリアルのコピー保護のためのコピー保護スキーム（ＷＯ　９９／４８２９０　”Ｃｏｐｙ　Ｐｒｏｔｅｃｔｉｏｎ　Ｓｃｈｅｍｅｓ　ｆｏｒ　Ｃｏｐｙ　Ｐｒｏｔｅｃｔｉｏｎ　Ｄｉｇｉｔａｌ　Ｍａｔｅｒｉａｌ）」、フィリップス社（Ｐｈｉｌｉｐｓ）、１９９９年
・国際公開第９９／１８７２３号パンフレット「ビデオ録画においてコピーを１回に制限するウォータマーキング方法及び装置（Ｍｅｔｈｏｄ　ａｎｄ　Ａｐｐａｒａｔｕｓ　ｆｏｒ　ａ　Ｃｏｐｙ−Ｏｎｃｅ　Ｗａｔｅｒｍａｒｋ　ｆｏｒ　Ｖｉｄｅｏ　Ｒｅｃｏｒｄｉｎｇ）」、ディグマーク社（Ｄｉｇｍａｒｃ）、１９９８年
・国際公開第９９／３７５１３号パンフレット「不可視デジタルウォータマーク（Ｉｎｖｉｓｉｂｌｅ　Ｄｉｇｉｔａｌ　Ｗａｔｅｒｍａｒｋｓ）」、テルストラ社（Ｔｅｌｓｔｒａ）、１９９８年・国際公開第９７／２２０６号パンフレット「ビデオ信号及び／又はオーディオ信号のマーキング（Ｍａｒｋｉｎｇ　ａ　Ｖｉｄｅｏ　ａｎｄ／ｏｒ　Ａｕｄｉｏ　Ｓｉｇｎａｌ）」、フィリップス（Ｐｈｉｌｉｐｓ）、１９９６年
・日本国特許第１１−０９８３４号明細書「電子ウォータマークスーパインポーズ装置及び電子ウォータマーク検出装置（Ｅｌｅｃｔｒｏｎｉｃ　Ｗａｔｅｒｍａｒｋ　ＳｕｐｅｒｉｍｐｏｓｉｎｇＤｅｖｉｃｅ　ａｎｄ　Ｅｌｅｃｔｒｏｎｉｃ　Ｗａｔｅｒｍａｒｋ　Ｄｅｔｅｃｔｉｎｇ　Ｄｅｖｉｃｅ）」、パイオニア株式会社、１９９７年
・米国特許第５８８９８６８号明細書「デジタルデータへのデジタルウォータマークの挿入、保護、検出のための最適化方法（Ｏｐｔｉｍｉｚａｔｉｏｎ　Ｍｅｔｈｏｄｓ　ｆｏｒ　ｔｈｅ　Ｉｎｓｅｒｔｉｏｎ，　Ｐｒｏｔｅｃｔｉｏｎ，　ａｎｄ　Ｄｅｔｅｃｔｉｏｎ　ｏｆ　Ｄｉｇｉｔａｌ　Ｗａｔｅｒｍａｒｋｓ　ｉｎ　ｔｈｅ　Ｄｉｇｉｔｉｚｅｄ　Ｄａｔａ）」、ダイス・カンパニー社（Ｔｈｅ　Ｄｉｃｅ　Ｃｏｍｐａｎｙ）、１９９６年
・米国特許第５９４９８８５号明細書「ウォータマークを用いたコンテンツの保護方法（Ｍｅｔｈｏｄ　ｆｏｒ　Ｐｒｏｔｅｃｔｉｎｇ　Ｃｏｎｔｅｎｔ　Ｕｓｉｎｇ　Ｗａｔｅｒｍａｒｋｉｎｇ）」、１９９７年・米国特許第５６６４０１８号明細書「コルージョンアタックを防御するウォータマーキング方法（Ｗａｔｅｒｍａｒｋｉｎｇ　Ｐｒｏｃｅｓｓ　Ｒｅｓｉｌｉｅｎｔ　ｔｏ　Ｃｏｌｌｕｓｉｏｎ　Ａｔｔａｃｋｓ）」１９９６年
・米国特許第６０２１１９６号明細書「リファレンスパレットの埋込（Ｒｅｆｅｒｅｎｃｅ　Ｐａｌｅｔｔｅ　Ｅｍｂｅｄｄｉｎｇ）」、リージェント大学（Ｒｅｇｅｎｔｓ　Ｕｎｉｖｅｒｓｉｔｙ）、１９９８年
・米国特許第５９９１４２６号明細書「フィールド単位のウォータマークの挿入及び検出（Ｆｉｅｌｄ−ｂａｓｅｄ　Ｗａｔｅｒｍａｒｋ　Ｉｎｓｅｒｔｉｏｎ　ａｎｄ　Ｄｅｔｅｃｔｉｏｎ）」、シグナフィ（Ｓｉｇｎａｆｙ）、１９９８年
・米国特許第５９０５８００号明細書「デジタルウォータマーキング方法及びシステム（Ｍｅｔｈｏｄ　ａｎｄ　Ｓｙｓｔｅｍ　ｆｏｒ　Ｄｉｇｉｔａｌ　Ｗａｔｅｒｍａｒｋｉｎｇ）」、ダイス・カンパニー社（Ｔｈｅ　Ｄｉｃｅ　Ｃｏｍｐａｎｙ）、１９９９年
・米国特許第５８０９１３９号明細書「圧縮デジタルビデオ信号のためのウォータマーキング方法及び装置（Ｗａｔｅｒｍａｒｋｉｎｇ　Ｍｅｔｈｏｄ　ａｎｄ　Ａｐｐａｒａｔｕｓ　ｆｏｒ　Ｃｏｍｐｒｅｓｓｅｄ　Ｄｉｇｉｔａｌ　Ｖｉｄｅｏ）」、ビボ・ソフトウェア社（Ｖｉｖｏ　Ｓｏｆｔｗａｒｅ）、１９９８年・米国特許第５９１５０２７号明細書「デジタルウォータマーキング（Ｄｉｇｉｔａｌ　Ｗａｔｅｒｍａｒｋｉｎｇ）」、日本電気株式会社、１９９９年
・米国特許第６０３１９１４号明細書「人間により知覚可能な画像における、ウォータマークを含むデータを埋め込む方法及び装置（Ｍｅｔｈｏｄ　ａｎｄ　Ａｐｐａｒａｔｕｓ　ｆｏｒＥｍｂｅｄｄｉｎｇ　Ｄａｔａ，　Ｉｎｃｌｕｄｉｎｇ　Ｗａｔｅｒｍａｒｋｓ，　ｉｎ　Ｈｕｍａｎ　Ｐｅｒｃｅｐｔｉｂｌｅ　Ｉｍａｇｅｓ）」、ミネソタ大学（Ｕｎｉｖｅｒｓｉｔｙ　ｏｆ　Ｍｉｎｎｅｓｏｔａ）、２０００年
・米国特許第５７４５６０４号明細書「ロバスト、分散コーディングを用いた識別／認証システム（Ｉｄｅｎｔｉｆｉｃａｔｉｏｎ／Ａｕｔｈｅｎｔｉｃａｔｉｏｎ　Ｓｙｓｔｅｍ　ｕｓｉｎｇ　Ｒｏｂｕｓｔ，　Ｄｉｓｔｒｉｂｕｔｅｄ　Ｃｏｄｉｎｇ）」、ディグマーク社（Ｄｉｇｍａｒｃ）、１９９８年
ＵＭＩＤ（図５及び図６）
ＵＭＩＤは、参考文献［２］に開示されている。図５は、いわゆる拡張ＵＭＩＤ（ｅｘｔｅｎｄｅｄ　ＵＭＩＤ）を示している。この拡張ＵＭＩＤは、基本ＵＭＩＤ用の前半の３２バイトと、シグネチャメタデータ（ｓｉｇｎａｔｕｒｅ　ｍｅｔａｄａｔａ）用の後半の３２バイトとを有する。
【００４６】
前半の３２バイトに格納される基本ＵＭＩＤは、以下の成分からなる。
・この第１セットをＳＭＰＴＥ　ＵＭＩＤとして識別するための１２バイトの汎用ラベル（ｕｎｉｖｅｒｓａｌ　ｌａｂｅｌ）。この汎用ラベルは、ＵＭＩＤが識別するマテリアルの種類を定義するとともに、グローバル的にユニークなマテリアル番号とローカル的にユニークなインスタンス番号を生成する方法も定義する。
・ＵＭＩＤの残りの長さを定める１バイトの長さ値（ｌｅｎｇｔｈ　ｖａｌｕｅ）。
・同じマテリアル番号を持つ異なるマテリアルインスタンスを区別するのに用いられる３バイトのインスタンス番号。
・各クリップを識別するのに用いられる１６バイトのマテリアル番号。各マテリアル番号は同じマテリアルの関連したインスタンスに対しては同じである。
【００４７】
後半の３２バイトのシグネチャメタデータは、拡張ＵＭＩＤを形成するために用いられるパックされたメタデータ項目の組により構成される。拡張ＵＭＩＤは、基本ＵＭＩＤと、その直後に設けられたシグネチャメタデータからなり、シグネチャメタデータは、以下の成分からなる。
・コンテンツユニット（ｃｏｎｔｅｎｔ　ｕｎｉｔ）が生成された日時を示す８バイトの日時コード。
・コンテンツユニット作成時の空間座標を定める１２バイトの値。
・国、団体、ユーザの各コードを登録する４バイトのコードの３グループ。
【００４８】
基本ＵＭＩＤ及び拡張ＵＭＩＤの各成分を順に定義する。
【００４９】
「１２バイトの汎用ラベル」
ＵＭＩＤの最初の１２バイトは、表１に定義される登録されたストリング値によりＵＭＩＤを識別するものである。
【００５０】
【表１】
2004005925.tif 000003
【００５１】
表１中の１６進数の値は変更してもよい。これらの値は一例である。また、第１〜第１２バイトは、表中に示すもの以外の指定であってよい。表１に示す具体例では、第４バイトは、第５〜第１２バイトがＳＭＰＴＥに合致するデータフォーマットに関することを示す。第５バイトは、第６〜第１０バイトが「ディクショナリ」データに関することを示す。第６バイトは、このようなデータが第７〜第１０バイトにより定義される「メタデータ」であることを示す。第７バイトは、第９及び第１０バイトにより定義されるメタデータを含むディクショナリの一部を示す。第８バイトは、ディクショナリのバージョンを示す。第９バイトはデータのクラスを示し、第１０バイトはそのクラスにおける特定アイテムを示す。
【００５２】
この具体例においては、第１〜第１０バイトは、予め割り当てられた固定値である。第１１バイトは変数である。したがって、図６及び上述の表１に示すように、ＵＭＩＤのラベルの第１〜第１０バイトは固定である。したがって、これらのバイトは、第１〜第１０バイトを表す１バイトのタイプコード（ｔｙｐｅ　ｃｏｄｅ）Ｔにより置き換えることができる。タイプコードＴの後には長さコード（ｌｅｎｇｔｈｃｏｄｅ）Ｌが設けられる。これに続いて、一方が表１の第１１バイトであるとともに他方が表１の第１２バイトである２バイトと、インスタンス番号（３バイト）と、マテリアル番号（１６バイト）が設けられる。また、任意であるが、マテリアル番号の後に拡張ＵＭＩＤのシグネチャメタデータ及び／又は他のメタデータを設けてもよい。
【００５３】
ＵＭＩＤタイプ（第１１バイト）は、以下ように４つの異なるデータタイプをそれぞれ識別するための４つの値を有している。
「０１ｈ」＝ピクチャマテリアルのＵＭＩＤ
「０２ｈ」＝オーディオマテリアルのＵＭＩＤ
「０３ｈ」＝データマテリアルのＵＭＩＤ
「０４ｈ」＝グループマテリアル（例えば、関連する内容の組合せ）のＵＭＩＤ１２バイトのラベルの最後の（第１２）バイトは、マテリアル及びインスタンス番号を生成する方法を識別する。このバイトは、上位４ニブル（ｔｏｐ　ｎｉｂｂｌｅ）と下位ニブル（ｂｏｔｔｏｍ　ｎｉｂｂｌｅ）に分割され、上位ニブルがマテリアル番号の生成方法を定義するとともに、下位ニブルがインスタンス番号の生成方法を定義する。
【００５４】
「長さ（ｌｅｎｇｔｈ）」
長さを表すＬｅｎｇｔｈの値は、基本ＵＭＩＤの場合「１３ｈ」であり、拡張ＵＭＩＤの場合「３３ｈ」である。
【００５５】
「インスタンス番号（ｉｎｓｔａｎｃｅ　ｎｕｍｂｅｒ）」
インスタンス番号は、規格で定められた幾つかの手法のうちのいずれにより生成されるユニークな３バイトの番号である。インスタンス番号により、あるクリップの特定の「インスタンス」と外部の関連するメタデータとのリンクが得られる。このインスタンス番号がないと、全てのマテリアルが、マテリアルのいずれのインスタンスにも、また、それに関連するメタデータにもリンクされてしまう。
【００５６】
新たなクリップの生成には、ゼロのインスタンス番号とともに新たなマテリアル番号を生成する必要がある。したがって、ゼロでないインスタンス番号は、関連するクリップがソースマテリアルではないことを示す。インスタンス番号は、主に、あるクリップの特定のインスタンスに関する関連メタデータを識別するのに使用される。
【００５７】
「マテリアル番号（ｉｎｓｔａｎｃｅ　ｎｕｍｂｅｒ）」
１６バイトのマテリアル番号は、規格で定められた幾つかの手法のうちのいずれかにより生成されるゼロでない番号である。この番号は、６バイトの登録ポートＩＤ番号、時間、乱数発生器に依存している。
【００５８】
「シグネチャメタデータ（ｓｉｇｎａｔｕｒｅ　ｍｅｔａｄａｔａ）」
シグネチャメタデータの成分は、いずれも、有意義な値を入れることができない場合には、０で埋めることができる。０で埋められた成分はいずれも、下流のデコーダに対してその成分が有効でないことを明確に示すために、全体的に０で埋められる。
【００５９】
「日時フォーマット（ｔｈｅ　ｔｉｍｅ−ｄａｔｅ　ｆｏｒｍａｔ）」
日時フォーマットは８バイトであり、汎用タイムコード（ｕｎｉｖｅｒｓａｌ　ｔｉｍｅ　ｃｏｄｅ：以下、ＵＴＣという。）に基づく時間成分である。時刻は、要素の種類に応じて、ＡＥＳ３の３２ビットオーディオサンプルクロック及びＳＭＰＴＥ１２Ｍのいずれかにより定義される。
【００６０】
後半の４バイトは、ＳＭＰＴＥ３０９Ｍにおいて規定されている修正ユリウスデータ（ｍｏｄｉｆｉｅｄ　Ｊｕｌｉａｎ　ｄａｔａ：以下、ＭＪＤという。）に基づいて日付を定義する。ＭＤＪは、西暦１８５８年１１月１７日の夜の１２時から９９９，９９９日間を数え上げるものであり、これにより西暦４５９７年までの日付を表すことができる。
【００６１】
「空間座標フォーマット（ｔｈｅ　ｓｐａｔｉａｌ　ｃｏ−ｏｒｄｉｎａｔｅ　ｆｏｒｍａｔ）」
空間座標値は、以下のように定義される３つの成分からなる。
【００６２】
・高度：９９，９９９，９９９メートルまでを特定する８桁の１０進数。
【００６３】
・経度：東経／西経１８０．０００００度（少数第５位まで有効）を特定する８桁の１０進数。
【００６４】
・緯度：北緯／南緯９０．０００００度（少数第５位まで有効）を特定する８桁の１０進数。
【００６５】
高度の値は、地球の中心からの値をメートルで表したものなので、平均海水面より低い高度も表すことができる。
【００６６】
なお、空間座標はほとんどのクリップについて静的であるが、全ての場合にあてはまるわけではない。乗り物に取り付けたカメラ等の移動ソースから取り込まれたマテリアルの場合、空間座標値が変化することもある。
【００６７】
「国コード（ｃｏｕｎｔｒｙ　ｃｏｄｅ）」
国コードは、ＩＳＯ３１６６において規定されている短縮型の４バイトの英数字文字列により表される。登録されていない国は、ＳＭＰＴＥ登録機関（ＳＭＰＴＥ　Ｒｅｇｉｓｔｒａｔｉｏｎ　Ａｕｔｈｏｒｉｔｙ）により英数字文字列の登録を得ることができる。
【００６８】
「団体コード」
団体コードは、ＳＭＰＴＥに登録された短縮形の４バイトの英数字文字列である。団体コードは、それらの登録された国コードに関してのみ意味を有するものであり、団体コードは異なる国において同じ値を有することができる。
【００６９】
「ユーザコード」
ユーザコードは、各団体によってローカル的に割り当てられ、グローバル的には登録されてはいない４バイトの英数字文字列である。ユーザコードは、それらの登録された団体コード及び国コードに関してのみ定義され、ユーザコードは異なる団体及び国において同じ値を有することができる。
【００７０】
「フリーランスオペレータ」
フリーランスオペレータは、国コードとして自らが居住する国の国コードを使用することができ、及び例えば合わせて８バイトとなる団体コードとユーザコードを使用でき、これをＳＭＰＴＥに登録することができる。これらのフリーランスコードは、「〜」シンボル（ＩＳＯ８８５９文字番号７Ｅｈ）から始まり、登録された７桁の英数字文字列がこれに続く。
【００７１】
上述の説明からわかるように、ＵＭＩＤは、ビデオマテリアルのみではなく、オーディオマテリアル、データマテリアル及びマテリアルのグループを識別するためにも用いることができる。
【００７２】
メタデータ（図７）
以下、番組の制作中に生成されるメタデータの種類と、メタデータを組織化する手法を例示的に説明する。
【００７３】
組織化されたメタデータの構造の具体例を図７に示す。この構造には、それぞれがメタデータを含む複数のフィールドを有する複数のテーブルが設けられている。これらのテーブルは、それぞれの共通フィールドにより相互に関連付けられ、これにより関係構造（ｒｅｌａｔｉｏｎａｌ　ｓｔｒｕｃｔｕｒｅ）が実現されている。更に、この構造では、同じテーブルにおいて複数のインスタンスを設けてもよく、これによりそのテーブルが表すオブジェクトの複数のインスタンスが表現される。フィールドは、所定の手法によりフォーマットしてもよい。また、フィールドのサイズも予め定めてもよい。サイズの例としては、２バイトを表す「Ｉｎｔ」、４バイトを表す「Ｌｏｎｇ　Ｉｎｔ」、８バイトを表す「Ｄｏｕｂｌｅ」等がある。これに代えて、フィールドサイズは、例えば、８個、１０個、１６個、３２個、１２８個、２５５個のキャラクタ等、そのフィールド内に含まれるキャラクタの数を参照して定義してもよい。
【００７４】
この構造をより詳しく説明する。この構造は、番組テーブル（Ｐｒｏｇｒａｍｍｅ　Ｔａｂｌｅ）を有している。番組テーブルは、番組ＩＤ（Ｐｒｏｇｒａｍｍｅ　ＩＤ：以下、ＰＩＤという。）、タイトル、作業タイトル（Ｗｏｒｋｉｎｇ　Ｔｉｔｌｅ）、概要（Ｓｙｎｏｐｓｉｓ）、アスペクト比、ディレクタＩＤ、ピクチャスタンプ（Ｐｉｃｔｕｒｅｓｔａｍｐ）等を含んでいる。番組テーブルには、ジャンルテーブル、キーワードテーブル、台本テーブル（Ｓｃｒｉｐｔ　Ｔａｂｌｅ）、関係者テーブル（Ｐｅｏｐｌｅ　Ｔａｂｌｅ）、スケジュールテーブル、複数の媒体オブジェクトテーブルが関連付けられている。
【００７５】
ジャンルテーブルは、番組テーブルのジャンルＩＤフィールドに関連付けられたジャンルＩＤとジャンル記述（Ｇｅｎｒｅ　Ｄｅｓｃｒｉｐｔｉｏｎ）とを含む複数のフィールドを有する。
【００７６】
キーワードテーブルは、番組テーブルの番組ＩＤフィールドに関連付けられた番組ＩＤと、キーワードＩＤと、キーワードとを含む複数のフィールドを有する。
【００７７】
台本テーブルは、台本ＩＤ、台本名、台本の種類、文書のフォーマット、パス、作製日付、原作者、バージョン、最終変更、変更者、番組ＩＤに関連したＰＩＤ、及び覚書（Ｎｏｔｅｓ）を含む複数のフィールドを有する。関係者テーブルは、画像を含む複数のフィールドを有する。
【００７８】
関係者テーブルは、複数の個人テーブル（Ｉｎｄｉｖｉｄｕａｌ　Ｔａｂｌｅ）及びグループテーブル（Ｇｒｏｕｐ　Ｔａｂｌｅ）に関連付けられている。各個人テーブルは、画像を含む複数のフィールドを有する。各グループテーブルも、画像を含む複数のフィールドを有する。各個人テーブルは、制作スタッフテーブル又は出演者テーブルのいずれかに関連付けられている。
【００７９】
制作スタッフテーブルは、制作スタッフＩＤ、姓、名、契約ＩＤ（Ｃｏｎｔｒａｃｔ　ＩＤ）、代理人、代理人ＩＤ、電子メールアドレス、住所、電話番号、職務ＩＤ、覚書、アレルギ、誕生日（Ｄａｔｅ　ｏｆ　Ｂｉｒｔｈ：ＤＯＢ）、国民保険番号（Ｎａｔｉｏｎａｌ　Ｉｎｓｕｒａｎｃｅ　Ｎｕｍｂｅｒ）、銀行ＩＤ（Ｂａｎｋ　ＩＤ）、ピクチャスタンプを含む複数のフィールドを有する。
【００８０】
出演者テーブルは、キャストＩＤ、姓、名、配役、契約ＩＤ（Ｃｏｎｔｒａｃｔ　ＩＤ）、代理人、代理人ＩＤ、組合番号（Ｅｑｕｉｔｙ　Ｎｕｍｂｅｒ）、電子メールアドレス、住所、電話番号、誕生日、銀行ＩＤ（Ｂａｎｋ　ＩＤ）、ピクチャスタンプを含む複数のフィールドを有している。制作スタッフテーブルと、出演者テーブルは、銀行詳細テーブル（Ｂａｎｋ　Ｄｅｔａｉｌｓ　Ｔａｂｌｅ）及び代理人テーブルに関連付けられている。
【００８１】
銀行詳細テーブルは、制作スタッフテーブルの銀行ＩＤフィールド及び出演者テーブルの銀行ＩＤフィールドに関連付けられた銀行ＩＤと、支店コード（Ｓｏｒｔ
Ｃｏｄｅ）と、口座番号と、口座名とを含む複数のフィールドを有する。
【００８２】
代理人テーブルは、制作スタッフテーブルの代理人ＩＤフィールド及び出演者テーブルの代理人ＩＤフィールドに関連付けられた代理人ＩＤと、名称又は氏名、住所、電話番号、ホームページアドレス、電子メールアドレス、ピクチャスタンプを含む複数のフィールドを有する。制作スタッフテーブルは、職務テーブルにも関連付けられている。
【００８３】
職務テーブルは、制作スタッフテーブルの職務ＩＤフィールドに関連付けられた職務ＩＤ、役割（ｆｕｎｃｔｉｏｎ）、覚書、ピクチャスタンプを含む複数のフィールドを有する。各グループテーブルは、組織テーブル（Ｏｒｇａｎｉｚａｔｉｏｎ　Ｔａｂｌｅ）に関連付けられている。
【００８４】
組織テーブルは、組織ＩＤ、名称、種類、住所、契約ＩＤ、連絡先名（Ｃｏｎｔａｃｔ　Ｎａｍｅ）、連絡先電話番号、ホームページ、ピクチャスタンプを含む複数のフィールドを有している。
【００８５】
各媒体オブジェクトテーブルは、媒体オブジェクトＩＤ、説明、ピクチャスタンプ、ＰＩＤ、フォーマット、スケジュールＩＤ、台本ＩＤ、マスタＩＤを含む複数のフィールドを有している。媒体オブジェクトテーブルには、関係者テーブル、マスタテーブル、スケジュールテーブル、ストーリーボード（絵コンテ）テーブル、台本テーブル、及び複数の場面テーブル（Ｓｈｏｔ　Ｔａｂｌｅ）が関連付けられている。
【００８６】
マスタテーブルは、媒体オブジェクトテーブルのマスタＩＤフィールドに関連付けられているマスタＩＤ、タイトル、基本ＵＭＩＤ、ＥＤＬ　ＩＤ、テープＩＤ、期間、ピクチャスタンプを含む複数のフィールドを有する。
【００８７】
スケジュールテーブルは、スケジュールＩＤ、スケジュール名、文書フォーマット、パス、作成日、原作者、開始日、終了日、バージョン、最終変更、変更者、覚書、及び番組ＩＤに関連するＰＩＤを含む複数のフィールドを有する。
【００８８】
契約テーブルは、制作スタッフテーブル、出演者テーブル、及び組織テーブルの契約ＩＤフィールドに関連する契約ＩＤ、効力発生日、レート、仕事タイトル、効力消滅日、詳細を含む複数のフィールドを有している。
【００８９】
ストーリーボードテーブルは、場面テーブルのストーリーボードＩＤに関連するストーリーボードＩＤ、説明、原作者、パス、媒体ＩＤを含む複数のフィールドを有する。
【００９０】
各場面テーブルは、場面ＩＤ、ＰＩＤ、媒体ＩＤ、タイトル、場所（Ｌｏｃａｔｉｏｎ）ＩＤ、覚書、ピクチャスタンプ、台本ＩＤ、スケジュールＩＤ、説明を含む複数のフィールドを有する。各場面テーブルには、関係者テーブル、スケジュールテーブル、台本テーブル、場所テーブル及び複数のテイクテーブルが関連付けられている。
【００９１】
場所テーブルは、場面テーブルの場所ＩＤフィールドに関連付けられた場所ＩＤ、ＧＰＳ、住所、説明、名称、時間単価、道順（Ｄｉｒｅｃｔｉｏｎｓ）、連絡先名称、連絡先住所、連絡先電話番号、ピクチャスタンプを含む複数のフィールドを有する。
【００９２】
各テイクテーブルは、基本ＵＭＩＤ、テイク番号、場面ＩＤ、媒体ＩＤ、タイムコードＩＮ、タイムコードＯＵＴ、標識メタデータ（Ｓｉｇｎ　Ｍｅｔａｄａｔａ）、テープＩＤ、カメラＩＤ、ヘッド時間（Ｈｅａｄ　Ｈｏｕｒｓ）、映像技師（Ｖｉｄｅｏｇｒａｐｈｅｒ）、ＩＮスタンプ、ＯＵＴスタンプ、レンズＩＤ、オートＩＤ（ＡＵＴＯＩＤ）、インジェストＩＤ（ｉｎｇｅｓｔ　ＩＤ）、覚書を含む複数のフィールドを有する。テイクテーブルには、テープテーブル、タスクテーブル、カメラテーブル、レンズテーブル、インジェストテーブル、テイク注釈テーブルが関連付けられている。
【００９３】
インジェストテーブルは、テイクテーブルのインジェストＩＤに関連付けられたインジェストＩＤと説明を含む複数のフィールドを有する。
【００９４】
テープテーブルは、テイクテーブルのテープＩＤフィールドに関連付けられたテープＩＤ、ＰＩＤ、フォーマット、最大期間（Ｍａｘ　Ｄｕｒａｔｉｏｎ）、第１用途（Ｆｉｒｓｔ　Ｕｓａｇｅ）、最大削除箇所（Ｍａｘ　Ｅｒａｓｕｒｅｓ）、現在削除箇所（Ｃｕｒｒｅｎｔ　Ｅｒａｓｕｒｅ）、推定到着時刻（ｅｓｔｉｍａｔｅｄ　ｔｉｍｅ　ｏｆ　ａｒｒｉｖａｌ：　ＥＴＡ）、最終削除日付、ピクチャスタンプを含む複数のフィールドを有する。
【００９５】
タスクテーブルは、タスクＩＤ、ＰＩＤ、それぞれテイクテーブルの媒体ＩＤフィールド及び場面フィールドに関連付けられた媒体ＩＤ及び場面ＩＤ、タイトル、タスクノート、分配リスト、ＣＣリストを含む複数のフィールドを有する。タスクテーブルには、計画場面テーブル（Ｐｌａｎｎｅｄ　Ｓｈｏｔ　Ｔａｂｌｅ）が関連付けられている。
【００９６】
計画場面テーブルは、計画場面ＩＤ、それぞれタスクテーブルのＰＩＤ、媒体ＩＤ、及び場面ＩＤに関連付けられたＰＩＤ、媒体ＩＤ、場面ＩＤ、ディレクタ、場面タイトル、場所、覚書、説明、映像技師、期限日、番組タイトル、媒体タイトル、アスペクト比、フォーマットを含む複数のフィールドを有する。
【００９７】
カメラテーブルは、テイクテーブルのカメラＩＤフィールドに関連付けられたカメラＩＤ、製造業者、型番、フォーマット、シリアル番号、ヘッド時間、レンズＩＤ、覚書、連絡先名、連絡先住所、連絡先電話番号、ピクチャスタンプを含む複数のフィールドを有する。
【００９８】
レンズテーブルは、テイクテーブルのレンズＩＤフィールドに関連付けられたレンズＩＤ、製造業者、型番、シリアル番号、連絡先名、連絡先住所、連絡先電話番号、ピクチャスタンプを含む複数のフィールドを有する。
【００９９】
各注釈テーブルは、テイク注釈ＩＤ、基本ＵＭＩＤ、タイムコード、シャッタースピード、絞り、ズーム、ガンマ、ショットＩＤ、フィルタホイール（ＦｉｌｔｅｒＷｈｅｅｌ）、詳細、ゲインを含む複数のフィールドを有する。各テイク注釈テーブルには、ショットマーカテーブルが関連付けられている。
【０１００】
ショットマーカテーブルは、テイク注釈テーブルのショットマーカＩＤに関連付けられたショットマーカＩＤと説明を含む複数のフィールドを有する。
【０１０１】
以上、ビデオマテリアルの具体例とともに本発明を説明したが、本発明は、ビデオマテリアル、オーディオマテリアル、データマテリアルのいずれか、又はこれらの組合せにも同様に適用することができる。
【０１０２】
ＵＭＩＤの長さは、例えば３２バイト又は６４バイトであってもよい。ウォータマークは、データベースに格納されたＵＭＩＤに関連付けられた、より短い識別子を含んでいてもよい。すなわち、ウォータマークに含まれるコードは、マテリアルを間接的に識別するコードであってもよい。
【図面の簡単な説明】
【図１】本発明に基づくシステムのブロック図である。
【図２】図２ａ〜図２ｃは、記録されたマテリアルにおけるウォータマークが付されたダミーデータの可能な配列を示す図である。
【図３】ウォータマーク埋込装置の構成を示すブロック図である。
【図４】ウォータマーク埋込装置の構成を示すブロック図である。
【図５】マテリアル識別子のデータ構造を示す図である。
【図６】マテリアル識別子のデータ構造を示す図である。
【図７】メタデータデータベースのデータ構造を示す図である。
【図１】
2004005925.tif 000004
【図２】
2004005925.tif 000005
【図３】
2004005925.tif 000006
【図４】
2004005925.tif 000007
【図５】
2004005925.tif 000008
【図６】
2004005925.tif 000009
【図７】
2004005925.tif 000010
【外国語明細書】
2004005925.tif 000011
2004005925.tif 000012
2004005925.tif 000013
2004005925.tif 000014
2004005925.tif 000015
2004005925.tif 000016
2004005925.tif 000017
2004005925.tif 000018
2004005925.tif 000019
2004005925.tif 000020
2004005925.tif 000021
2004005925.tif 000022
2004005925.tif 000023
2004005925.tif 000024
2004005925.tif 000025
2004005925.tif 000026
2004005925.tif 000027
2004005925.tif 000028
2004005925.tif 000029
2004005925.tif 000030
2004005925.tif 000031
2004005925.tif 000032
2004005925.tif 000033
2004005925.tif 000034
2004005925.tif 000035
2004005925.tif 000036
2004005925.tif 000037
2004005925.tif 000038
2004005925.tif 000039
2004005925.tif 000040
2004005925.tif 000041
2004005925.tif 000042
2004005925.tif 000043
2004005925.tif 000044
2004005925.tif 000045
2004005925.tif 000046
2004005925.tif 000047
2004005925.tif 000048
2004005925.tif 000049
2004005925.tif 000050